(57)【要約】【課題】携帯端末で得られた環境情報を、ユーザーが容易に且つ自然に認識することができる。【解決手段】スマートフォンＳと通信可能な通信部４１と、通信部４１を介して、携帯端末から入力した音声信号を再生する再生部４２と、環境演出用の照明を行う照明部２３と、通信部４１を介して、スマートフォンＳから得られた環境情報を照明色情報に変換する情報変換部４４と、変換された照明色情報に基づいて、照明部を制御する照明制御部４５と、を備えた。【選択図】図６
2014049802.tif 000002
【特許請求の範囲】
【請求項１】
携帯端末と通信可能な通信部と、
前記通信部を介して、前記携帯端末から入力した音声信号を再生する再生部と、
環境演出用の照明を行う照明部と、
前記携帯端末から得られた環境情報を照明情報に変換する情報変換部と、
変換された前記照明情報に基づいて、前記照明部を制御する照明制御部と、を備えたことを特徴とするオーディオ装置。
【請求項２】
前記環境情報には、天気情報、温度情報、地震情報、時計情報および生体センシング情報のうち、少なくとも１の情報が含まれることを特徴とする請求項１に記載のオーディオ装置。
【請求項３】
前記照明制御部は、前記音声信号のＢＰＭ（Ｂｅａｔｓ  Ｐｅｒ  Ｍｉｎｕｔｅ）に同期させて、前記照明部を制御することを特徴とする請求項１に記載のオーディオ装置。
【請求項４】
前記照明制御部は、前記携帯端末の表示と同期して、前記照明部を制御することを特徴とする請求項１に記載のオーディオ装置。
【請求項５】
前記環境情報を環境音情報に変換する音情報変換部を、更に備え、
前記再生部は、環境音情報に基づいて、環境音を再生することを特徴とする請求項１に記載のオーディオ装置。
【請求項６】
矩形平板状の外観を有すると共に、前記通信部、前記再生部、前記情報変換部および前記照明制御部を搭載したコントロール機器と、
矩形平板状の外観を有すると共に、再生した前記音声信号を出力するスピーカー部および前記照明部を搭載した出力機器と、を備え、
前記コントロール機器と前記出力機器とは、相互の接合部において着脱自在に接合されていることを特徴とする請求項１に記載のオーディオ装置。
【請求項７】
前記コントロール機器と前記出力機器とは、接合状態で、前記出力機器を斜め上向きとし、且つ前記コントロール機器の１の辺と前記出力機器の１の辺とが脚部を構成するように、交差した外観形状に形成されていることを特徴とする請求項６に記載のオーディオ装置。
【請求項８】
前記出力機器において、前記スピーカー部は表側に、前記照明部は裏側にそれぞれ配設されていることを特徴とする請求項７に記載のオーディオ装置。
【請求項９】
前記出力機器の前方に位置して前記コントロール機器の表面には、前記携帯端末が着脱自在に接続されると共に前記通信部に連なる端末接続部が配設されていることを特徴とする請求項７に記載のオーディオ装置。
【発明の詳細な説明】
【技術分野】
【０００１】
本発明は、スマートフォン等の携帯端末から入力した音声信号を再生するオーディオ装置に関するものである。
【背景技術】
【０００２】
従来、この種のオーディオ装置として、携帯端末（携帯電話機）に接続され、携帯端末からの音声信号（音楽信号）を受けるスピーカー入力コネクタと、音声信号を、高音域、中音域、低音域に分離し、増幅して分配するスピーカーアンプと、分離・増幅された音声信号を受け、これを出力する複数のスピーカーと、を備えたドッキングシステムが知られている（特許文献１参照）。この携帯端末は、液晶パネルあるいは有機ＥＬ等の表示部を有している。
【先行技術文献】
【特許文献】
【０００３】
【特許文献１】特開２００６−９４３６７号公報
【発明の概要】
【発明が解決しようとする課題】
【０００４】
ところで、この種のオーディオ装置では、装着した携帯端末の表示部において、携帯端末で得られた情報を表示可能になっている。特に、天気情報、温度情報あるいは地震情報といった環境情報を表示部に表示することで、ユーザーがこれらの環境情報を認識することができる。
しかしながら、このような構成では、ユーザーが環境情報を認識するのに、表示部を視認しなければならないため、ユーザーにとって、環境情報を認識するのが煩雑であるという問題があった。すなわち、オーディオ装置が設置された部屋内で過ごす中で、当該環境情報を自然に認識することができないという問題がある。
【０００５】
本発明は、携帯端末で得られた環境情報を、ユーザーが容易に且つ自然に認識することができるオーディオ装置を提供することを課題としている。
【課題を解決するための手段】
【０００６】
本発明のオーディオ装置は、携帯端末と通信可能な通信部と、通信部を介して、携帯端末から入力した音声信号を再生する再生部と、環境演出用の照明を行う照明部と、携帯端末から得られた環境情報を照明情報に変換する情報変換部と、変換された照明情報に基づいて、照明部を制御する照明制御部と、を備えたことを特徴とする。
【０００７】
この場合、環境情報には、天気情報、温度情報、地震情報、時計情報および生体センシング情報のうち、少なくとも１の情報が含まれることが好ましい。
【０００８】
これらの構成によれば、オーディオ装置において、携帯端末から得られた環境情報に基づいて環境演出用の照明を制御することで、ユーザーは、環境演出用の照明の変化を認識するだけで、当該環境情報を認識することができる。すなわち、環境演出用の照明を用いることで、オーディオ装置を設置した部屋内に過ごす中で、当該環境情報を自然に認識することができる。なお、照明部としては、例えば、オーディオ装置背面の壁を利用した間接照明を行うもの等を想定している。
【０００９】
この場合、照明制御部は、音声信号のＢＰＭ（Ｂｅａｔｓ  Ｐｅｒ  Ｍｉｎｕｔｅ）に同期させて、照明部を制御することが好ましい。
【００１０】
この構成によれば、音声信号のＢＰＭに合わせて、環境演出用の照明部を制御することで、音声信号の再生に合わせた環境演出を行うことができる。
【００１１】
また、照明制御部は、携帯端末の表示と同期して、照明部を制御することが好ましい。
【００１２】
この構成によれば、携帯端末の表示に合わせて、照明部を制御することで、携帯端末における環境情報の詳細表示に合わせた環境演出を行うことができる。
【００１３】
一方、環境情報を環境音情報に変換する音情報変換部を、更に備え、再生部は、環境音情報に基づいて、環境音を再生することが好ましい。
【００１４】
この構成によれば、オーディオ装置において、携帯端末から得られた環境情報に基づいて環境音（サウンドエフェクト）を再生することで、ユーザーは、環境音の変化を認識するだけで、環境情報を認識することができる。すなわち、環境音を用いることで、オーディオ装置を設置した部屋内に過ごす中で、環境情報を自然に認識することができる。なお、ここにいう環境音とは、声や音楽を含まない音源であり、例えば鳥の鳴き声や波の音等の自然環境音を含む概念である。
【００１５】
上記のオーディオ装置において、矩形平板状の外観を有すると共に、通信部、再生部、情報変換部および照明制御部を搭載したコントロール機器と、矩形平板状の外観を有すると共に、再生した音声信号を出力するスピーカー部および照明部を搭載した出力機器と、を備え、コントロール機器と出力機器とは、相互の接合部において着脱自在に接合されていることが好ましい。
【００１６】
この場合、コントロール機器と出力機器とは、接合状態で、出力機器を斜め上向きとし、且つコントロール機器の１の辺と出力機器の１の辺とが脚部を構成するように、交差した外観形状に形成されていることが好ましい。
【００１７】
これらの構成によれば、デザイン性の高いオーディオ装置を提供することができる。また、コントロール機器および出力機器をそれぞれ複数種用意し、これを選択可能とすることで、ユーザーによるカスタム性を向上することができる。
【００１８】
この場合、出力機器において、スピーカー部は表側に、照明部は裏側にそれぞれ配設されていることが好ましい。
【００１９】
この構成によれば、表側で音声出力を行い、裏側でオーディオ装置背面の壁を利用した間接照明を行うことで、出力機器の表裏を効果的に利用することができる。
【００２０】
この場合、出力機器の前方に位置してコントロール機器の表面には、携帯端末が着脱自在に接続されると共に通信部に連なる端末接続部が配設されていることが好ましい。
【００２１】
この構成によれば、携帯端末を前方位置に装着し、且つその操作面を前方向きになるように装着することができるので、装着状態で携帯端末を操作する際にも、操作しやすい。
【図面の簡単な説明】
【００２２】
【図１】本発明の一実施形態に係るオーディオ装置を示した斜視図（ａ）および断面図（ｂ）である。
【図２】オーディオ装置のスピーカー機器（ａ）およびアンプ機器（ｂ）を示した平面図である。
【図３】スピーカー機器およびアンプ機器の接合構造を示した斜視図である。
【図４】オーディオ装置の内部構成を示したブロック図である。
【図５】環境情報を照明色情報に変換する変換テーブルを示した図である。
【図６】環境情報に基づく照明動作を示したフローチャートである。
【図７】オーディオ装置の変形例を示したブロック図である
【発明を実施するための形態】
【００２３】
以下、添付の図面を参照して、本発明の一実施形態に係るオーディオ装置について説明する。本実施形態では、本発明を適用したオーディオ装置を例示する。このオーディオ装置は、スマートフォン（携帯端末）を装着し、スマートフォンからの音声信号を出力するスマートフォン用の音声出力装置（いわゆるドックスピーカー）である。本オーディオ装置は、環境演出用の照明部を有し、これを利用して、ユーザーに環境情報を自然に認識させる構成を有している。
【００２４】
図１に示すように、オーディオ装置１は、矩形平板状の外観を有するスピーカー機器（出力機器）１１と、矩形平板状の外観を有すると共に、スマートフォンＳを装着するアンプ機器（コントロール機器）１２と、を備え、これらを相互の接合部２５、３５において着脱自在に接合して構成されている。また、オーディオ装置１は、スピーカー機器１１およびアンプ機器１２を側面視で直交するように接合して成る。
【００２５】
図１および図２に示すように、スピーカー機器１１は、矩形平板状の筐体２１により外観が形成されており、表面側が斜め上向きとなるように、斜めに配設されている。すなわち、スピーカー機器１１は、表面側がユーザーを向くように配設されている。また、スピーカー機器１１の表面側には、平面スピーカーで構成されたスピーカー部２２が配設されており、スピーカー部２２が斜め上（ユーザー側）を向いた構成となっている。一方、スピーカー機器１１の裏面側には、ＯＬＥＤ（有機ＥＬダイオードのアレイ）で構成された照明部２３が配設されている。
【００２６】
また、図２および図３に示すように、スピーカー機器１１には、そのアンプ機器１２との交差部分に、アンプ機器１２を接合するための接合部２５が配設されている。スピーカー機器１１の接合部２５は、筐体２１の上記交差部分に形成されたスリット部２５ａと、スリット部２５ａの端面に接合方向に向くように配設された雌側のコネクタ２５ｂと、を有している。スリット部２５ａは、上記交差部分において、筐体２１の一部をアンプ機器１２の厚みに相当する幅で横断方向にスリット状に除去して形成したものである。
【００２７】
図１および図２に示すように、アンプ機器１２は、矩形平板状の筐体３１により外観が形成されており、スピーカー機器１１に直交するように、斜めに配設されている。また、アンプ機器１２の表面には、スピーカー機器１１の前方に位置して、スマートフォンＳを装着（着脱自在に接続）するドック部（端末接続部）３２が配設されている。装着されたスマートフォンＳは、ドック部３２により、スピーカー機器１１に倣って配設されている。これにより、スマートフォンＳが斜め上向き（ユーザー向き）に配設されている。さらに、アンプ機器１２の前端面には、タッチセンサーで構成された操作部３３が配設されており、電源ボタン３３ａ等が配置されている。
【００２８】
また、アンプ機器１２の表面における、スピーカー機器１１の前方の領域は、鍵や装飾品等の各種携帯品を置く小物置き部３４となっている。小物置き部３４は、ドック部３２廻りに配設されているため、ドック部３２に装着したスマートフォンＳと共に、各種携帯品を置いておくことができる。なお、筐体３１の表面が傾斜しているので、小物置き部３４は、スピーカー機器１１に向かって低くなるように傾斜している。その結果、置いた携帯品が落下しないように構成されている。
【００２９】
さらに、図２および図３に示すように、アンプ機器１２には、そのスピーカー機器１１との交差部分に、スピーカー機器１１を接合するための接合部３５が配設されている。アンプ機器１２の接合部３５は、筐体３１の上記交差部分に形成されたスリット部３５ａと、スリット部３５ａの端面に接合方向に向くように配設された雄側のコネクタ３５ｂと、を有している。スリット部３５ａは、上記交差部分において、筐体３１の一部をスピーカー機器１１の厚みに相当する幅で横断方向にスリット状に除去して形成したものである。
【００３０】
図１に示すように、オーディオ装置１では、両スリット部２５ａ、３５ａを横断方向において相互に嵌め合わせることで、スピーカー機器１１およびアンプ機器１２が着脱自在に接合される。そして、スピーカー機器１１とアンプ機器１２とは、接合状態で、直交した外観形状（断面プラス形状）となり、スピーカー機器１１の１の辺（下端部）とアンプ機器１２の１の辺（後端部）とが脚部を構成する。すなわち、アンプ機器１２は、斜め上向きのスピーカー機器１１を支えるスタンドとしても機能している。また、両スリット部２５ａ、３５ａを嵌め合わせることで、これに伴って両コネクタ２５ｂ、３５ｂが接続され、スピーカー機器１１およびアンプ機器１２が電気的に接続（リンク）される。
【００３１】
次に図４を参照して、スピーカー機器１１およびアンプ機器１２の内部構成について説明する。図４に示すように、スピーカー機器１１は、内部装置として、上記のスピーカー部２２、照明部２３およびコネクタ２５ｂを備えている。スピーカー部２２は、無指向性の平面スピーカー（ＨＶＴ方式）で構成されており、アンプ機器１２から転送された音声信号を、無指向で音声出力（放音）する。照明部２３は、ＯＬＥＤで構成されており、オーディオ装置１背面の壁を利用して間接照明（環境演出用の照明）を行う。そして、照明部２３は、制御により多彩な照明色の照明を行うことができる。詳細は後述するが、照明部２３は、その照明（環境演出）の変化によって、環境情報をユーザーに認識させる役割を担っている。なお、照明部２３に、模様を形成したマスクを取り付け、当該模様を照明に投影させる構成であっても良い。
【００３２】
アンプ機器１２は、内部装置として、上記のドック部３２、操作部３３およびコネクタ３５ｂと、音声信号を増幅するアンプ部３６と、スマートフォンＳと通信可能な通信部４１と、オーディオ装置１の各部を制御する制御部３７と、を備えている。通信部４１は、ドック部３２に連なり、ドック部３２を介して、スマートフォンＳとの通信を行うものであり、主に、スマートフォンＳからの音声信号（コンテンツ）を受信する。
【００３３】
制御部３７は、再生部４２と、情報取得部４３と、情報変換部４４と、照明制御部４５と、を備えている。再生部４２は、スマートフォンＳからの音声信号（コンテンツ）を再生する。具体的には、通信部４１によりスマートフォンＳに制御信号を送信して、スマートフォンＳによる音声信号の転送を制御すると共に、通信部４１を介してスマートフォンＳから入力した音声信号を受信し、アンプ部３６を介して、スピーカー機器１１に転送する。これによって、スピーカー機器１１は、スピーカー部２２により、再生した音声信号を出力する。
【００３４】
情報取得部４３は、通信部４１を介して、スマートフォンＳから環境情報を取得する。具体的には、情報取得部４３は、通信部４１により、環境情報を要求する情報要求信号をスマートフォンＳに送信する。これにより、情報取得部４３は、スマートフォンＳが環境情報取得用のアプリケーションＡＰにより得た環境情報を、スマートフォンＳから取得する。環境情報は、天気予報情報（天気情報）、気温情報（温度情報）、地震予報情報（地震情報）のいずれか１の情報である。
【００３５】
すなわち、情報取得部４３が、環境情報として天気予報情報を取得する場合には、スマートフォンＳが、上記アプリケーションＡＰとして、天気予報情報を取得する天気予報アプリケーションを起動している必要がある。一方、情報取得部４３が、環境情報として気温情報を取得する場合には、スマートフォンＳが、上記アプリケーションＡＰとして、気温情報を取得する温度計アプリケーションを起動している必要がある。さらに、情報取得部４３が、環境情報として地震予報情報を取得する場合には、スマートフォンＳが、上記アプリケーションＡＰとして、地震予報を取得する地震予報アプリケーションを起動している必要がある。なお、環境情報取得用のアプリケーションＡＰは、例えば、インターネットを介して環境情報を取得する。
【００３６】
情報変換部４４は、情報取得部４３により取得した環境情報を、照明色を示す照明色情報（照明情報）に変換する。具体的には、図５に示した変換テーブルに基づいて、環境情報を、照明色情報に変換する。例えば、図５に示すように、天気予報情報が「晴れ」の場合には、照明色を「赤」とする照明色情報に変換する。一方、天気予報情報が「雨」の場合には、照明色を「青」とする照明色情報に変換する。さらに、天気予報情報が「曇り」の場合には、照明色を「黄」とする照明色情報に変換する。
【００３７】
照明制御部４５は、照明情報に基づいて、照明部２３を制御する。具体的には、照明制御部４５は、照明部２３を制御し、照明色情報に基づいて、それが示す照明色で間接照明を行う。
【００３８】
ここで図６を参照して、環境情報に基づく照明動作について説明する。ここでは、環境情報として天気予報情報に基づいて照明制御を行うものを例示する。本照明動作は、スマートフォンＳ上の上記アプリケーションＡＰ（天気予報アプリケーション）が起動している状態で行われるものとする。また、本照明動作は、照明部２３の起動時に行われると共に、照明部２３の起動中におけて定期的に（例えば一分間隔で）行われる。
【００３９】
図６に示すように、まず、オーディオ装置１は、情報取得部４３により、スマートフォンＳから天気予報情報を取得する（Ｓ１〜Ｓ５）。具体的には、オーディオ装置１は、情報取得部４３により、天気予報情報の情報要求信号をスマートフォンＳに送信する（Ｓ１）。これに対し、スマートフォンＳは、情報要求信号を受信し（Ｓ２）、アプリケーションＡＰにより、天気予報情報を取得する（Ｓ３）。そして、取得した天気予報情報をオーディオ装置１に送信する（Ｓ４）。オーディオ装置１は、この天気予報情報を受信することで（Ｓ５）、スマートフォンＳから天気予報情報を取得する。
【００４０】
その後、オーディオ装置１は、情報変換部４４により、スマートフォンＳから得られた天気予報情報を、照明色情報に変換する（Ｓ６）。そして、照明制御部４５により、変換された照明色情報に基づく照明色で照明を行う（Ｓ７）。
【００４１】
以上のような構成によれば、オーディオ装置１において、スマートフォンＳから得られた環境情報に基づいて環境演出用の照明を制御することで、ユーザーは、環境演出用の照明の変化を認識するだけで、当該環境情報を認識することができる。すなわち、環境演出用の照明を用いることで、オーディオ装置１を設置した部屋内に過ごす中で、当該環境情報を自然に認識することができる。また、スマートフォンＳから環境情報を取得する構成であるため、オーディオ装置１が独自に環境情報を取得する必要がなく、オーディオ装置１を簡単な構成にすることができる。
【００４２】
また、スピーカー機器１１において、スピーカー部２２は表側に、照明部２３は裏側にそれぞれ配設されていることで、表側で音声出力を行い、裏側でオーディオ装置１背面の壁を利用した間接照明を行うため、スピーカー機器１１の表裏を効果的に利用することができる。
【００４３】
さらに、スピーカー機器１１の前方に位置してアンプ機器１２の表面に、ドック部３２が配設されていることで、スマートフォンＳを前方位置に装着し、且つその操作面を前方向きになるように装着することができるので、装着状態でスマートフォンＳを操作する際にも、操作しやすい。
【００４４】
なお、本実施形態において、照明制御部４５により、照明色情報に基づく照明制御を、スマートフォンＳの表示と同期して行う構成であっても良い。例えば、スマートフォンＳにより現在の気温情報を表示したとき、これと同期して（同時に）、気温情報を変換した照明色情報に基づく照明を行う。このように、スマートフォンＳの表示に合わせて、照明部２３を制御することで、スマートフォンＳにおける環境情報の詳細表示に合わせた環境演出を行うことができる。
【００４５】
また、本実施形態において、照明制御部４５により、音声信号のＢＰＭ（Ｂｅａｔｓ  Ｐｅｒ  Ｍｉｎｕｔｅ）に同期させて、照明色情報に基づく照明制御を行う構成であっても良い。例えば、変換した照明色情報の色の照明を、ＢＰＭに合わせて点滅するように照明部２３を制御する。かかる構成によれば、音声信号の再生に合わせた環境演出を行うことができる。
【００４６】
さらに、本実施形態においては、環境情報を、照明色情報に変換する構成であったが、照明の制御を行うための情報（照明情報）に変換するものであれば、照明色情報に変換する構成に限るものではない。例えば、環境情報を、照明の点滅の有無を示す点滅有無情報に変換する構成であっても良い。また、環境情報を、照明色情報および点滅有無情報の両方に変換する構成であっても良い。例えば、地震予報情報を照明情報に変換する場合、地震予測情報が「検出なし」のときには、「点滅無し」とする点滅有無情報に変換し、地震予測情報が「検出なし」以外のときには、「点滅あり」とする点滅有無情報に変換する。すなわち、地震を検出した場合には、照明を点滅させて、緊急性をユーザーに報知することができる。なお、環境情報を、点滅速度（点滅間隔）を示す点滅速度情報に変換する構成であっても良い。
【００４７】
またさらに、本実施形態においては、環境情報を、天気予報情報、気温情報および地震予報情報のいずれか１の情報としたが、ユーザーの環境を示す情報であれば、これに限るものではない。例えば、環境情報を、時計情報（アラーム情報等）としても良いし、例えば、環境情報を、生体センシング情報（体温情報等）としても良い。また、環境情報に、天気予報情報、気温情報、地震予報情報、時計情報および生体センシング情報のうち、少なくとも１の情報が含まれる構成であれば、これらのうちの２以上の情報を、環境情報とし、これを照明情報に変換する構成であっても良い。すなわち、当該２以上の情報に基づいて、照明制御を行う構成であっても良い。
【００４８】
また、電話情報（着信の有無や留守番電話メッセージの有無を示す情報）を、照明情報に変換し、これに基づいて照明制御を行う構成であっても良い。
【００４９】
また、本実施形態においては、環境情報を照明情報に変換し、環境情報に基づいて、照明部２３の照明制御を行う構成であったが、これに加え、環境情報を、環境音を示す環境音情報に変換し、環境情報に基づいて、環境音の出力制御を行う構成であっても良い。具体的には、図７に示すように、オーディオ装置１は、図４の各部に加え、環境情報を環境音情報に変換する音情報変換部５１を更に備える。そして、再生部４２は、環境音情報に基づいて、環境音を再生する。すなわち、環境音の音声信号を、スピーカー機器１１に転送して、環境音を出力させる。なお、当該環境音は、声や音楽を含まない音源であり、例えば鳥の鳴き声や波の音等の自然環境音を用いる。
【００５０】
かかる構成によれば、オーディオ装置１において、スマートフォンＳから得られた環境情報に基づいて環境音（サウンドエフェクト）を再生することで、ユーザーは、環境音の変化を認識するだけで、環境情報を認識することができる。すなわち、環境音を用いることで、オーディオ装置１を設置した部屋内に過ごす中で、環境情報を自然に認識することができる。また、環境演出用の照明と環境音とで認識させることで、ユーザーがより認識しやすくなる。
【００５１】
ひいては、環境情報に基づく照明制御を省略し、環境情報に基づく環境音の出力制御のみで、環境情報をユーザーに認識させる構成であっても良い。
【符号の説明】
【００５２】
１：オーディオ装置、  １１：スピーカー機器、  １２：アンプ機器、  ２２：スピーカー部、  ２３：照明部、  ２５：接合部、  ３２：ドック部、  ３５：接合部、  ４１：通信部、  ４２：再生部、  ４４：情報変換部、  ４５：照明制御部、  ５１：音情報変換部、  Ｓ：スマートフォン
【図１】
2014049802.tif 000003
【図２】
2014049802.tif 000004
【図３】
2014049802.tif 000005
【図４】
2014049802.tif 000006
【図５】
2014049802.tif 000007
【図６】
2014049802.tif 000008
【図７】
2014049802.tif 000009